(57)【要約】【課題】回路構成を変更せずにチューナ部の数を増設可能であり、適用されたＩＣカードに対するアクセスが速やかに且つ的確になされ得るデジタル放送受信システムを得る。【解決手段】デジタル放送受信機と増設チューナとを高速シリアルインターフェース部で接続し、各チューナ部からＥＣＭ、ＥＭＭを該接続部を通してデジタル放送受信機に供給し、デジタル放送受信機側のシステムコントローラ１７０でＥＣＭに基づくＩＣカードコマンドＣＣに応答してのＩＣカードレスポンスＣＲから暗号鍵Ｋｓを抽出し増設チューナに供給してデスクランブル処理に供す。複数のチューナ部から出力されるＥＣＭおよびＥＭＭを各別に一時的に保持するためのＥＣＭバッファおよびＥＭＭバッファを設定し、ＥＣＭに係る処理をＥＭＭに係る処理に優先して実行しＩＣカードコマンドを得る。【選択図】図２
2007195103.tif 000002
【特許請求の範囲】
【請求項１】
デジタル放送を受信し適用された表示器に該受信されたデジタル放送に係る表示を行うデジタル放送受信機と、前記デジタル放送受信機に適用される増設チューナとを含んで構成されるデジタル放送受信システムであって、
前記デジタル放送受信機および前記増設チューナは相互に通信を行うために接続可能な各対応する一の高速シリアルインターフェース部および他の高速シリアルインターフェース部を有し、
前記増設チューナは、テレビジョン信号を受信して該受信された信号からスクランブルが掛けられたトランスポートストリームを得るチューナ部と、該トランスポートストリームからＥＣＭおよびＥＭＭを分離するデータ分離部と、前記デジタル放送受信機から前記一の高速シリアルインターフェース部および他の高速シリアルインターフェース部を通して当該スクランブルを解除するための所定の暗号鍵の供給を受けて前記チューナ部で得たトランスポートストリームにスクランブル解除処理を施してスクランブルが解除されたトランスポートストリームを生成するデスクランブル処理部と、を備え、
前記デジタル放送受信機は、前記増設チューナのデータ分離部で分離されたＥＣＭおよびＥＭＭを相互に接続された前記他の高速シリアルインターフェース部および一の高速シリアルインターフェース部を通して取得し、該取得されたＥＣＭおよびＥＭＭに基づいてＩＣカードコマンドを生成し、該ＩＣカードコマンドを該当するＩＣカードに供給し、該供給に応じてＩＣカードから発せられる前記増設チューナに適用すべき当該所定の暗号鍵を含むＩＣカードレスポンスを受け、該ＩＣカードレスポンス中の暗号鍵を前記一の高速シリアルインターフェース部および他の高速シリアルインターフェース部を通して前記増設チューナに供給するように構成され、且つ、デジタル放送受信機内部のチューナ部および前記増設チューナのチューナ部を含む複数のチューナ部から出力されるＥＣＭおよびＥＭＭを各別に一時的に保持するためのＥＣＭバッファおよびＥＭＭバッファが設定されており、ＥＣＭに係る処理をＥＭＭに係る処理に優先して実行し、該実行の結果として前記ＩＣカードコマンドを得るように構成されているシステムコントローラと、前記システムコントローラとＩＣカード間の信号の授受を行うためのＩＣカード読み取り部と、前記増設チューナのデスクランブル処理部で生成されたトランスポートストリームを前記他の高速シリアルインターフェース部および一の高速シリアルインターフェース部を通して取得し、該取得したトランスポートストリームに復号処理を施して適用された表示器に映像の表示を行うべく供給する復号処理部と、を備えていることを特徴とするデジタル放送受信システム。
【請求項２】
自己の一の高速シリアルインターフェース部に適合する他の高速シリアルインターフェース部を有する増設チューナを接続可能になされ前記一の高速シリアルインターフェース部および他の高速シリアルインターフェース部が接続されたときにこれらの高速シリアルインターフェース部を通して前記増設チューナと相互に通信を行うことが可能に構成されたデジタル放送受信機であって、
前記増設チューナのチューナ部で得たスクランブルが掛けられたトランスポートストリームから分離されたＥＣＭおよびＥＭＭを相互に接続された前記他の高速シリアルインターフェース部および一の高速シリアルインターフェース部を通して取得し、該取得されたＥＣＭおよびＥＭＭに基づいてＩＣカードコマンドを生成し、該ＩＣカードコマンドを該当するＩＣカードに供給し、該供給に応じてＩＣカードから発せられる前記増設チューナに適用すべき当該所定の暗号鍵を含むＩＣカードレスポンスを受け、該ＩＣカードレスポンス中の暗号鍵を前記一の高速シリアルインターフェース部および他の高速シリアルインターフェース部を通して前記増設チューナに供給するように構成され、且つ、デジタル放送受信機内部のチューナ部および前記増設チューナのチューナ部を含む複数のチューナ部から出力されるＥＣＭおよびＥＭＭを各別に一時的に保持するためのＥＣＭバッファおよびＥＭＭバッファが設定されており、ＥＣＭに係る処理をＥＭＭに係る処理に優先して実行し、該実行の結果として前記ＩＣカードコマンドを得るように構成されているシステムコントローラと、前記システムコントローラとＩＣカード間の信号の授受を行うためのＩＣカード読み取り部と、前記増設チューナのデスクランブル処理部で生成されたスクランブルが解除されたトランスポートストリームを前記他の高速シリアルインターフェース部および一の高速シリアルインターフェース部を通して取得し、該取得したトランスポートストリームに復号処理を施して適用された表示器に映像の表示を行うべく供給する復号処理部と、を備えていることを特徴とするデジタル放送受信機。
【請求項３】
自己が適合するデジタル放送受信機の一の高速シリアルインターフェース部に適合する他の高速シリアルインターフェース部を有し、前記一の高速シリアルインターフェース部および他の高速シリアルインターフェース部が接続されたときにこれらの高速シリアルインターフェース部を通して前記デジタル放送受信機と相互に通信を行うことが可能に構成された増設チューナであって、
テレビジョン信号を受信して該受信された信号からスクランブルが掛けられたトランスポートストリームを得るチューナ部と、該トランスポートストリームからＥＣＭおよびＥＭＭを分離するデータ分離部と、前記デジタル放送受信機から前記一の高速シリアルインターフェース部および他の高速シリアルインターフェース部を通して当該スクランブルを解除するための所定の暗号鍵の供給を受けて前記チューナ部で得たトランスポートストリームにスクランブル解除処理を施してスクランブルが解除されたトランスポートストリームを生成するデスクランブル処理部と、を備えていることを特徴とする増設チューナ。  
【請求項４】
前記デジタル放送受信機のシステムコントローラは、ＥＣＭおよびＥＭＭをこれらに対応するＩＣカードコマンドに変換する処理を実行するためのＩＣカードアクセスプログラムに基づいて作動し得るようになされ、該ＩＣカードアクセスプログラムは、ＥＣＭに係る処理をＥＭＭに係る処理に優先して実行し該ＥＣＭに係る処理により得たＩＣカードコマンドを当該適用されたＩＣカードに供給するように構成され、且つ、該ＩＣカードコマンドの供給に応答してＩＣカードから発せられるＩＣカードレスポンスに含んで発行された暗号鍵を、前記ＥＣＭバッファにおいてＧＵＩＤおよびＳＵＢＩＤが付加されたレコードとして管理されている当該ＥＣＭの発信元からの情報中のＧＵＩＤおよびＳＵＢＩＤに基づいて識別される発信元に、供給するように構成されていることを特徴とする請求項１に記載のデジタル放送受信システム。
【請求項５】
前記システムコントローラは、ＥＣＭおよびＥＭＭをこれらに対応するＩＣカードコマンドに変換する処理を実行するためのＩＣカードアクセスプログラムに基づいて作動し得るようになされ、該ＩＣカードアクセスプログラムは、ＥＣＭに係る処理をＥＭＭに係る処理に優先して実行し該ＥＣＭに係る処理により得たＩＣカードコマンドを当該適用されたＩＣカードに供給するように構成され、且つ、該ＩＣカードコマンドの供給に応答してＩＣカードから発せられるＩＣカードレスポンスに含んでＩＣカードから発行された暗号鍵を、前記ＥＣＭバッファにおいてＧＵＩＤおよびＳＵＢＩＤが付加されたレコードとして管理されている当該ＥＣＭの発信元からの情報中のＧＵＩＤおよびＳＵＢＩＤに基づいて識別される発信元に、供給するように構成されていることを特徴とする請求項２に記載のデジタル放送受信機。
【請求項６】
前記デジタル放送受信機のシステムコントローラに適用される前記ＩＣカードアクセスプログラムは、前記ＥＣＭバッファおよびＥＭＭバッファに対する書き込み時および当該ＩＣカードレスポンスの受信時の双方においてＥＣＭに係る処理をＥＭＭに係る処理に優先して実行するように構成されていることを特徴とする請求項４に記載のデジタル放送受信システム。
【請求項７】
前記システムコントローラに適用される前記ＩＣカードアクセスプログラムは、前記ＥＣＭバッファおよびＥＭＭバッファに対する書き込み時および当該ＩＣカードレスポンスの受信時の双方においてＥＣＭに係る処理をＥＭＭに係る処理に優先して実行するように構成されていることを特徴とする請求項５に記載のデジタル放送受信機。
【発明の詳細な説明】
【技術分野】
【０００１】
本発明は、デジタル放送受信システム、および、デジタル放送受信機、ならびに、増設チューナに関し、より詳細には、スクランブルがかけられた放送信号を受信してこのスクランブルが解除された放送を再生することができるデジタル放送受信システム、および、デジタル放送受信機、ならびに、増設チューナに関する。
【背景技術】
【０００２】
近年、デジタルテレビジョン放送では、多くの放送は、スクランブル（暗号）がかけられている。これはＣＡＳ（Conditional Access System）とも称呼される限定受信システムであって、有料放送のために考案されたものである。受信契約を締結した顧客のみがその放送を視聴でき、契約者以外は視聴できないように放送信号をスクランブルしておき、契約者（その受信機）にはこのスクランブルを解く暗号鍵が提供される（放送電波にのせて送信される）。
【０００３】
上述のようなＣＡＳを復号する暗号鍵を得て所望の放送番組を視聴するにはＩＣカードが必要である。即ち、日本でのＢＳデジタル放送、地上デジタル放送、１１０度ＣＳデジタル放送のＣＡＳであるＢ−ＣＡＳを視聴するにはＩＣカードとしてＢＣＡＳカードが必要であり、デジタルケーブルテレビのＣＡＳであるＣ−ＣＡＳを視聴するにはＣＣＡＳカードが必要である。
【０００４】
通常のデジタル放送受信機で、これらのＣＡＳを多画面で複数の放送番組を同時に受信をする場合や、裏番組録画などを行いたい場合には、複数のチューナが必要であるが、その場合、これら複数のチューナに夫々対応したＩＣカードが必要だった。
このような状況にあって、現在既に使用中のＩＣカードには別段改変を必要とせずに２台目以降の受信機においても同じＩＣカードを利用して同時にＣＡＳを受信できるようにする技術も既に提案されている。
【０００５】
この提案は、受信機に自己の内部のデスクランブラと接続されて外部と通信を行う送受信インターフェースと外部の他の受信機と接続するためのブリッジ端子とを設け、この送受信インターフェースを通して供給されるＣＡＳ情報またはブリッジ端子を介して供給される他の受信機からのＣＡＳ情報を、選択的に自己のＩＣカード端子に接続されたＩＣカードに供給し、供給に応答してＩＣカードから出力される応答信号をブリッジ端子を介して当該他の受信機に供給することができるようにして、単一のＩＣカードを双方の受信機で共通に機能せしめようとするものである（特許文献１参照）。
【０００６】
また一方、デジタル放送受信機で、ユーザーが視聴しているメディアとは別のメディアを視聴したり、同じメディアの裏番組を録画したり２画面表示で視聴したりする場合には、デジタル放送受信機本体に対してこれに適合するチューナユニットを接続し、該接続されたチューナユニットに対応して設けられたデジタル放送受信機本体内の第２の系統の処理系を用いて当該別のメディアや裏番組の再生を行うようにした技術が開示されている（特許文献２参照）。
【特許文献１】特開２００５−０７９８６０号公報（段落０００９〜段落００１１、図３）
【特許文献２】特開２００３−３１９３６１号公報（段落０００５、図４）
【発明の開示】
【発明が解決しようとする課題】
【０００７】
しかしながら、上述した特許文献１および特許文献２所載の技術では、デジタル放送受信機にチューナユニットを増設したり、或いは、他のもう一台のデジタル放送受信機を接続して、デジタル放送受信機内に備えられたＩＣカードをそれら増設したチューナユニットや増設受信機に共通に用い得るように構成する場合、増設を予定した数に相応した数のバッファや接続部が必要になり構成が複雑になる。
【０００８】
換言すれば、予め設定されたバッファや接続部の数によって、増設可能なチューナの数が規定されるため、ユーザーが所望に応じて増設の数を選択するといったことは許容されない。
本発明は上述のような状況に鑑みてなされたものであり、回路部の構成を変えることなく増設チューナ（そのチューナ部）の数を選択できる余地があり、適用されたＩＣカードに対するアクセスが速やかに且つ的確になされ得るデジタル放送受信機、および、これに適用する増設チューナ、ならびに、これらによるデジタル放送受信システムを提供することを目的としている。
【課題を解決するための手段】
【０００９】
上記課題を解決するべく、本願では次に列記するような技術を提案する。
（１）デジタル放送を受信し適用された表示器に該受信されたデジタル放送に係る表示を行うデジタル放送受信機と、前記デジタル放送受信機に適用される増設チューナとを含んで構成されるデジタル放送受信システムであって、
前記デジタル放送受信機および前記増設チューナは相互に通信を行うために接続可能な各対応する一の高速シリアルインターフェース部および他の高速シリアルインターフェース部を有し、
前記増設チューナは、テレビジョン信号を受信して該受信された信号からスクランブルが掛けられたトランスポートストリームを得るチューナ部と、該トランスポートストリームからＥＣＭおよびＥＭＭを分離するデータ分離部と、前記デジタル放送受信機から前記一の高速シリアルインターフェース部および他の高速シリアルインターフェース部を通して当該スクランブルを解除するための所定の暗号鍵の供給を受けて前記チューナ部で得たトランスポートストリームにスクランブル解除処理を施してスクランブルが解除されたトランスポートストリームを生成するデスクランブル処理部と、を備え、
前記デジタル放送受信機は、前記増設チューナのデータ分離部で分離されたＥＣＭおよびＥＭＭを相互に接続された前記他の高速シリアルインターフェース部および一の高速シリアルインターフェース部を通して取得し、該取得されたＥＣＭおよびＥＭＭに基づいてＩＣカードコマンドを生成し、該ＩＣカードコマンドを該当するＩＣカードに供給し、該供給に応じてＩＣカードから発せられる前記増設チューナに適用すべき当該所定の暗号鍵を含むＩＣカードレスポンスを受け、該ＩＣカードレスポンス中の暗号鍵を前記一の高速シリアルインターフェース部および他の高速シリアルインターフェース部を通して前記増設チューナに供給するように構成され、且つ、デジタル放送受信機内部のチューナ部および前記増設チューナのチューナ部を含む複数のチューナ部から出力されるＥＣＭおよびＥＭＭを各別に一時的に保持するためのＥＣＭバッファおよびＥＭＭバッファが設定されており、ＥＣＭに係る処理をＥＭＭに係る処理に優先して実行し、該実行の結果として前記ＩＣカードコマンドを得るように構成されているシステムコントローラと、前記システムコントローラとＩＣカード間の信号の授受を行うためのＩＣカード読み取り部と、前記増設チューナのデスクランブル処理部で生成されたトランスポートストリームを前記他の高速シリアルインターフェース部および一の高速シリアルインターフェース部を通して取得し、該取得したトランスポートストリームに復号処理を施して適用された表示器に映像の表示を行うべく供給する復号処理部と、を備えていることを特徴とするデジタル放送受信システム。
【００１０】
上記（１）のデジタル放送受信システムでは、デジタル放送受信機と増設チューナとが一対の高速シリアルインターフェース部によって接続された状態で、この増設チューナは、自己のチューナ部で受信して得たスクランブルがかけられたテレビジョン信号（トランスポートストリーム）に関し、高速シリアルインターフェース部を通してデジタル放送受信機から受けとった当該スクランブルを解除するための所定の暗号鍵を用いて、自己のチューナ部で得たトランスポートストリームにスクランブル解除処理を施してスクランブルが解除されたトランスポートストリームを生成する。またトランスポートストリームからＥＣＭおよびＥＭＭを分離して高速シリアルインターフェース部を通してデジタル放送受信機に供給する。
【００１１】
増設チューナ側でこのように生成されたトランスポートストリームは高速シリアルインターフェース部を通してデジタル放送受信機に供給され、適用された表示器に映像が表示される。
デジタル放送受信機側では、高速シリアルインターフェース部を通して増設チューナ側から供給されるＥＣＭおよびＥＭＭに基づいてＩＣカードコマンドを生成し該当するＩＣカードに供給する。この供給を受けたＩＣカードから暗号鍵を含むＩＣカードレスポンスが発せられ、この暗号鍵が高速シリアルインターフェース部を通して増設チューナ側に供給される。
【００１２】
増設チューナ側では、上述のようにこの暗号鍵を用いてスクランブルが解除されたトランスポートストリームを生成する。このトランスポートストリームは高速シリアルインターフェース部を通してデジタル放送受信機側に供給され、表示器で映像が表示される。
【００１３】
（２）自己の一の高速シリアルインターフェース部に適合する他の高速シリアルインターフェース部を有する増設チューナを接続可能になされ前記一の高速シリアルインターフェース部および他の高速シリアルインターフェース部が接続されたときにこれらの高速シリアルインターフェース部を通して前記増設チューナと相互に通信を行うことが可能に構成されたデジタル放送受信機であって、
前記増設チューナのチューナ部で得たスクランブルが掛けられたトランスポートストリームから分離されたＥＣＭおよびＥＭＭを相互に接続された前記他の高速シリアルインターフェース部および一の高速シリアルインターフェース部を通して取得し、該取得されたＥＣＭおよびＥＭＭに基づいてＩＣカードコマンドを生成し、該ＩＣカードコマンドを該当するＩＣカードに供給し、該供給に応じてＩＣカードから発せられる前記増設チューナに適用すべき当該所定の暗号鍵を含むＩＣカードレスポンスを受け、該ＩＣカードレスポンス中の暗号鍵を前記一の高速シリアルインターフェース部および他の高速シリアルインターフェース部を通して前記増設チューナに供給するように構成され、且つ、デジタル放送受信機内部のチューナ部および前記増設チューナのチューナ部を含む複数のチューナ部から出力されるＥＣＭおよびＥＭＭを各別に一時的に保持するためのＥＣＭバッファおよびＥＭＭバッファが設定されており、ＥＣＭに係る処理をＥＭＭに係る処理に優先して実行し、該実行の結果として前記ＩＣカードコマンドを得るように構成されているシステムコントローラと、前記システムコントローラとＩＣカード間の信号の授受を行うためのＩＣカード読み取り部と、前記増設チューナのデスクランブル処理部で生成されたスクランブルが解除されたトランスポートストリームを前記他の高速シリアルインターフェース部および一の高速シリアルインターフェース部を通して取得し、該取得したトランスポートストリームに復号処理を施して適用された表示器に映像の表示を行うべく供給する復号処理部と、を備えていることを特徴とするデジタル放送受信機。
【００１４】
上記（２）のデジタル放送受信機では、システムコントローラが、高速シリアルインターフェース部を通して増設チューナ側から供給されるＥＣＭおよびＥＭＭに基づいてＩＣカードコマンドを生成し該当するＩＣカードに供給する。この供給を受けたＩＣカードから暗号鍵を含むＩＣカードレスポンスが発せられ、この暗号鍵が高速シリアルインターフェース部を通して増設チューナ側に供給される。
【００１５】
上記のシステムコントローラは、デジタル放送受信機側および増設チューナ側の複数のチューナ部から出力されるＥＣＭおよびＥＭＭを各別に一時的に保持するためのＥＣＭバッファおよびＥＭＭバッファが設定されており、ＥＣＭに係る処理をＥＭＭに係る処理に優先して実行し、該実行の結果として前記ＩＣカードコマンドを得るように構成されている。
増設チューナ側では、上述のようにこの暗号鍵を用いてスクランブルが解除されたトランスポートストリームを生成する。このトランスポートストリームは高速シリアルインターフェース部を通してデジタル放送受信機側に供給され、表示器で映像が表示される。
【００１６】
（３）自己が適合するデジタル放送受信機の一の高速シリアルインターフェース部に適合する他の高速シリアルインターフェース部を有し、前記一の高速シリアルインターフェース部および他の高速シリアルインターフェース部が接続されたときにこれらの高速シリアルインターフェース部を通して前記デジタル放送受信機と相互に通信を行うことが可能に構成された増設チューナであって、
テレビジョン信号を受信して該受信された信号からスクランブルが掛けられたトランスポートストリームを得るチューナ部と、該トランスポートストリームからＥＣＭおよびＥＭＭを分離するデータ分離部と、前記デジタル放送受信機から前記一の高速シリアルインターフェース部および他の高速シリアルインターフェース部を通して当該スクランブルを解除するための所定の暗号鍵の供給を受けて前記チューナ部で得たトランスポートストリームにスクランブル解除処理を施してスクランブルが解除されたトランスポートストリームを生成するデスクランブル処理部と、を備えていることを特徴とする増設チューナ。
【００１７】
上記（３）の増設チューナでは、自己のチューナ部でテレビジョン信号を受信して該受信された信号からスクランブルが掛けられたトランスポートストリームを得る、データ分離部でトランスポートストリームからＥＣＭおよびＥＭＭを分離して、一対の高速シリアルインターフェース部を通してデジタル放送受信機に供給する。
該供給されたＥＣＭおよびＥＭＭを用いてＩＣカードから暗号鍵を含むＩＣカードレスポンスを得たデジタル放送受信機側から供給される暗号鍵を用いて、自己のデスクランブル処理部で、トランスポートストリームにスクランブル解除処理を施してスクランブルが解除されたトランスポートストリームを生成する。該生成されたトランスポートストリームを一対の高速シリアルインターフェース部を通してデジタル放送受信機に供給する。デジタル放送受信機側では、このトランスポートストリームに基づいて表示器に映像を表示する。
【００１８】
（４）前記デジタル放送受信機のシステムコントローラは、ＥＣＭおよびＥＭＭをこれらに対応するＩＣカードコマンドに変換する処理を実行するためのＩＣカードアクセスプログラムに基づいて作動し得るようになされ、該ＩＣカードアクセスプログラムは、ＥＣＭに係る処理をＥＭＭに係る処理に優先して実行し該ＥＣＭに係る処理により得たＩＣカードコマンドを当該適用されたＩＣカードに供給するように構成され、且つ、該ＩＣカードコマンドの供給に応答してＩＣカードから発せられるＩＣカードレスポンスに含んで発行された暗号鍵を、前記ＥＣＭバッファにおいてＧＵＩＤおよびＳＵＢＩＤが付加されたレコードとして管理されている当該ＥＣＭの発信元からの情報中のＧＵＩＤおよびＳＵＢＩＤに基づいて識別される発信元に、供給するように構成されていることを特徴とする（１）のデジタル放送受信システム。
【００１９】
上記（４）のデジタル放送受信システムでは、上記（１）のデジタル放送受システムにおいて特に、デジタル放送受信機のシステムコントローラは、ＥＣＭおよびＥＭＭをこれらに対応するＩＣカードコマンドに変換する処理を実行するためのＩＣカードアクセスプログラムに基づいて作動し得るようになされている。
このＩＣカードアクセスプログラムによれば、システムコントローラはＥＣＭに係る処理をＥＭＭに係る処理に優先して実行し該ＥＣＭに係る処理により得たＩＣカードコマンドを当該適用されたＩＣカードに供給するように作動する。
【００２０】
更に、該ＩＣカードコマンドの供給に応答してＩＣカードから発せられるＩＣカードレスポンスに含んで発行された暗号鍵を、システムコントローラに設定されているＥＣＭバッファにおいてＧＵＩＤおよびＳＵＢＩＤが付加されたレコードとして管理されている当該ＥＣＭの発信元からの情報中のＧＵＩＤおよびＳＵＢＩＤに基づいて識別される発信元に供給する。
【００２１】
この暗号鍵の供給を受けた増設チューナではデスクランブル処理部においてこの暗号鍵を用いてスクランブルが掛けられたトランスポートストリームに対してスクランブル解除処理を実行し、スクランブルが解除されたトランスポートストリームを生成する。
該生成されたトランスポートストリームは一対の高速シリアルインターフェース部を通してデジタル放送受信機に供給される。デジタル放送受信機側では、このトランスポートストリームに基づいて表示器に映像を表示する。
【００２２】
（５）前記システムコントローラは、ＥＣＭおよびＥＭＭをこれらに対応するＩＣカードコマンドに変換する処理を実行するためのＩＣカードアクセスプログラムに基づいて作動し得るようになされ、該ＩＣカードアクセスプログラムは、ＥＣＭに係る処理をＥＭＭに係る処理に優先して実行し該ＥＣＭに係る処理により得たＩＣカードコマンドを当該適用されたＩＣカードに供給するように構成され、且つ、該ＩＣカードコマンドの供給に応答してＩＣカードから発せられるＩＣカードレスポンスに含んでＩＣカードから発行された暗号鍵を、前記ＥＣＭバッファにおいてＧＵＩＤおよびＳＵＢＩＤが付加されたレコードとして管理されている当該ＥＣＭの発信元からの情報中のＧＵＩＤおよびＳＵＢＩＤに基づいて識別される発信元に、供給するように構成されていることを特徴とする（２）のデジタル放送受信機。
【００２３】
上記（５）のデジタル放送受信機では、上記（２）のデジタル放送受信機において特に、システムコントローラは、ＥＣＭおよびＥＭＭをこれらに対応するＩＣカードコマンドに変換する処理を実行するためのＩＣカードアクセスプログラムに基づいて作動し得るようになされている。
このＩＣカードアクセスプログラムによれば、システムコントローラはＥＣＭに係る処理をＥＭＭに係る処理に優先して実行し該ＥＣＭに係る処理により得たＩＣカードコマンドを当該適用されたＩＣカードに供給するように作動する。
【００２４】
更に、該ＩＣカードコマンドの供給に応答してＩＣカードから発せられるＩＣカードレスポンスに含んで発行された暗号鍵を、システムコントローラに設定されているＥＣＭバッファにおいてＧＵＩＤおよびＳＵＢＩＤが付加されたレコードとして管理されている当該ＥＣＭの発信元からの情報中のＧＵＩＤおよびＳＵＢＩＤに基づいて識別される発信元に供給する。
【００２５】
この暗号鍵の供給を受けた増設チューナではデスクランブル処理部においてこの暗号鍵を用いてスクランブルが掛けられたトランスポートストリームに対してスクランブル解除処理を実行し、スクランブルが解除されたトランスポートストリームを生成する。
該生成されたトランスポートストリームは一対の高速シリアルインターフェース部を通してデジタル放送受信機に供給される。デジタル放送受信機側では、このトランスポートストリームに基づいて表示器に映像を表示する。
【００２６】
（６）前記デジタル放送受信機のシステムコントローラに適用される前記ＩＣカードアクセスプログラムは、前記ＥＣＭバッファおよびＥＭＭバッファに対する書き込み時および当該ＩＣカードレスポンスの受信時の双方においてＥＣＭに係る処理をＥＭＭに係る処理に優先して実行するように構成されていることを特徴とする（４）のデジタル放送受信システム。
【００２７】
上記（６）のデジタル放送受信システムでは、上記（４）のデジタル放送受信システムにおいて特に、デジタル放送受信機のシステムコントローラに適用されるＩＣカードアクセスプログラムは、ＥＣＭバッファおよびＥＭＭバッファに対する書き込み時および当該ＩＣカードレスポンスの受信時の双方においてＥＣＭに係る処理をＥＭＭに係る処理に優先して実行するように構成されているため、暗号鍵を得るために即時に必要とされ且つその処理に相対的に長い時間を要するＥＣＭに係る処理が優先的に実行され、全体的に円滑で速やかな動作が実現される。
【００２８】
（７）前記システムコントローラに適用される前記ＩＣカードアクセスプログラムは、前記ＥＣＭバッファおよびＥＭＭバッファに対する書き込み時および当該ＩＣカードレスポンスの受信時の双方においてＥＣＭに係る処理をＥＭＭに係る処理に優先して実行するように構成されていることを特徴とする（５）のデジタル放送受信機。
【００２９】
上記（７）のデジタル放送受信機では、上記（５）のデジタル放送受信機において特に、システムコントローラに適用されるＩＣカードアクセスプログラムは、ＥＣＭバッファおよびＥＭＭバッファに対する書き込み時および当該ＩＣカードレスポンスの受信時の双方においてＥＣＭに係る処理をＥＭＭに係る処理に優先して実行するように構成されているため、暗号鍵を得るために即時に必要とされ且つその処理に相対的に長い時間を要するＥＣＭに係る処理が優先的に実行され、全体的に円滑な動作が実現される。
【発明を実施するための最良の形態】
【００３０】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の実施の形態としてのデジタル放送受信機およびこれに適合する増設チューナを含んで構成されたデジタル放送受信システムを表すブロック図である。
【００３１】
このデジタル放送受信システム１０００は、デジタル放送を受信し適用された表示器１５０に該受信されたデジタル放送に係る表示を行うデジタル放送受信機１１００と、デジタル放送受信機１１００に適用される増設チューナ１２００とを含んで構成され、デジタル放送受信機１１００および増設チューナ１２００は相互に通信を行うために接続可能な各対応する一の高速シリアルインターフェース部３１０および他の高速シリアルインターフェース部３２０（即ち、両者で一対の高速シリアルインターフェース部３００）を有する。
【００３２】
後述するように、高速シリアルインターフェース部３００を通る信号（データ）はパケット化した形にして扱われるため、それらの信号（データ）については対応する記号の末尾に、適宜「（ｐ）」の表記を添えて表してある。
増設チューナ１２００は、テレビジョン信号を受信するためのアンテナ２１０と該受信された信号からスクランブルが掛けられたトランスポートストリームＴＳ（ｓｃ）を得るチューナ部２２０と、このトランスポートストリームＴＳ（ｓｃ）にスクランブル解除処理を施してスクランブルが解除されたトランスポートストリームＴＳを生成するデスクランブル処理部２３０とを備える。
【００３３】
図示の例では、チューナ部２２０にアンテナ２１０からの信号が入力されるように描かれているが、この入力は、ＢＳ、ＣＳ、地上デジタル、或いは、ケーブルデジタル等々のものであり得る。また、これらは、ＯＦＤＭ、８ＴＰＳＫ、６４ＱＡＭ等の変調がかけられたＲＦ信号である。このＲＦ信号がチューナ部２２０で選局、復調されデスクランブル処理部２３０でスクランブル解除処理が施されてＭＰＥＧトランスポートストリームＴＳに変換される。
【００３４】
デスクランブル処理部２３０では、デジタル放送受信機１１００側から一の高速シリアルインターフェース部３１０および他の高速シリアルインターフェース部３２０を通して当該スクランブルを解除するための所定の暗号鍵Ｋｓ（ｐ）の供給を受け、この暗号鍵Ｋｓ（ｐ）を用いてデスクランブル処理を行う。
一方、チューナ部２２０からのもう一つの系統の出力としてのトランスポートストリームＴＳ（ｓｃ）からＥＣＭおよびＥＭＭを分離するデータ分離部２４０が設けられ、このデータ分離部２４０から出力されるＥＣＭおよびＥＭＭが他の高速シリアルインターフェース部３２０および一の高速シリアルインターフェース部３１０を通してデジタル放送受信機１１００側に供給される。
【００３５】
尚、デスクランブル処理部２３０で得られたトランスポートストリームＴＳは、高速シリアルインターフェース部３２０を通してＡＶＨＤＤ１３００に供給され、この増設チューナ１２００によって取得される裏番組の記録等が行われる。
一の高速シリアルインターフェース部３１０および他の高速シリアルインターフェース部３２０（即ち、両者で一対の高速シリアルインターフェース部３００）に適用されるデータ転送の形態としてはIEEE1394またはEthernet（登録商標）を適用する。これらの高速シリアルインターフェースによれば一対多のインターフェースが容易に構築できる。
【００３６】
このような高速シリアルインターフェースにＩＣカードコマンドを通す場合には、パケット化した形に変換して送出し、受信側でパケット化を解いて復元する。これらの変換処理はＥＣＭおよびＥＭＭならびに暗号鍵Ｋｓについて同様に行われる。
デジタル放送受信機１１００は、テレビジョン信号を受信するためのアンテナ１１０と該受信された信号からスクランブルが掛けられたトランスポートストリームＴＳ（ｓｃ）を得るチューナ部１２０と、このトランスポートストリームＴＳ（ｓｃ）にスクランブル解除処理を施してスクランブルが解除されたトランスポートストリームＴＳを生成するデスクランブル処理部１３０とを備える。
【００３７】
デスクランブル処理部１３０からのスクランブルが解除された出力であるトランスポートストリームＴＳはＭＰＥＧ復号部１４０に供給され、ここで映像の表示に適合する信号ＲＧＢに変換されて、該変換された信号ＲＧＢが、映像の表示のために適用された表示器１５０に供給されて、ここで映像の表示が行われる。
一方、チューナ部１２０からのもう一つの系統の出力としてのトランスポートストリームＴＳ（ｓｃ）からＥＣＭおよびＥＭＭを分離するデータ分離部１６０が設けられ、このデータ分離部１６０から出力されるＥＣＭおよびＥＭＭがマイクロプロセッサを主体に構成されたシステムコントローラ１７０に供給される。
【００３８】
システムコントローラ１７０では、このようにして供給されたＥＣＭおよびＥＭＭに基づいてＩＣカードコマンドＣＣを生成し、ＩＣカード読取り部１８０に装着された該当するＩＣカード（不図示）に供給し、該供給に応じてＩＣカード（従って、ＩＣカード読取り部１８０）から発せられる増設チューナ１２００に適用すべき当該所定の暗号鍵Ｋｓを含むＩＣカードレスポンスＣＲを受ける。
【００３９】
尚、暗号鍵Ｋｓを含むＩＣカードレスポンスＣＲは上記供給されたＥＣＭに基づくＩＣカードコマンドＣＣに応じて出力される。一方、ＥＭＭは、ユーザーが契約局を増やす手続き（放送局または所定の中間団体に電話でＩＤを伝える等する）を行うと放送局側から放送電波にのせて送信されてアンテナで受信され、当該増設に係る局の放送が視聴できるようになるものであり、一度そのＥＭＭをＩＣカードに与えると、その後は、取り消しのためのＥＭＭが受信されることが無い限り、その増設局の放送が視聴できる状態が維持される。
【００４０】
システムコントローラ１７０は、ＩＣカードレスポンスＣＲに含まれる暗号鍵Ｋｓをパケット化した形のデータＫｓ（ｐ）に変換して一の高速シリアルインターフェース部３１０および他の高速シリアルインターフェース部３２０を通して増設チューナ１２００側に供給する。
また一方、システムコントローラ１７０は、増設チューナ１２００のデータ分離部２４０で分離されたＥＣＭおよびＥＭＭを、相互に接続された他の高速シリアルインターフェース部３２０および一の高速シリアルインターフェース部３１０を通してパケット化した形のデータとして取得し、該取得されたＥＣＭおよびＥＭＭに基づいてＩＣカードコマンドＣＣを生成する。
【００４１】
更に、このＩＣカードコマンドＣＣをＩＣカード読取り部１８０に装着された該当するＩＣカード（不図示）に供給し、該供給に応じてＩＣカード（従って、ＩＣカード読取り部１８０）から発せられる増設チューナ１２００に適用すべき当該所定の暗号鍵Ｋｓを含むＩＣカードレスポンスＣＲを受ける。
そしてＩＣカードレスポンスＣＲ中の暗号鍵を一の高速シリアルインターフェース部３１０および他の高速シリアルインターフェース部３２０を通してパケット化した形のデータＫｓ（ｐ）として増設チューナ１２００側に供給する。増設チューナ１２００側では高速シリアルインターフェース部３２０でこのパケット化が解除されて暗号鍵Ｋｓが得られ、この暗号鍵Ｋｓがデスクランブル処理部２３０に供給されて正規のデスクランブル処理が実行され、スクランブルが解除されたトランスポートストリームＴＳが出力される。
【００４２】
このスクランブルが解除されたトランスポートストリームＴＳが高速シリアルインターフェース部３００をパケット化した形のデータとして通り、デジタル放送受信機１１００側でパケット化が解除されて元のトランスポートストリームＴＳが復元され、このトランスポートストリームＴＳがＭＰＥＧ復号部１９０に供給され、ここで映像の表示に適合する信号ＲＧＢに変換されて、該変換された信号ＲＧＢが、映像の表示のために適用された表示器１５０に供給されて、ここで映像の表示が行われる。
【００４３】
図２は、図１のデジタル放送受信機に適用されるシステムコントローラについて説明するための概念図である。この図２では、システムコントローラ１７０内でのＥＣＭおよびＥＭＭに係る処理を表しており、図１においてはその表示が省略されたＩＣカードも参照符号１８１を附して示されている。
以下には、既述の図１に加え、適宜、図２をも参照して、本発明の実施の形態について更に詳述する。
【００４４】
システムコントローラ１７０には、デジタル放送受信機１１００の内部のチューナ部１２０および増設チューナ１２００のチューナ部２２０を含む複数のチューナ部から出力されるＥＣＭおよびＥＭＭが送られてくる。多くのチューナ部が増設された場合には、ＥＣＭから暗号鍵Ｋｓが発行されるまでに要する応答時間が問題となる。このため、本実施の形態では、これらＥＣＭおよびＥＭＭを各別に一時的に保持するためのＥＣＭバッファ１７１およびＥＭＭバッファ１７２が設定されている。
【００４５】
システムコントローラ１７０は、ＥＣＭに係る処理をＥＭＭに係る処理に優先して実行し、該実行の結果としてＩＣカードコマンドＣＣを得るように構成されている。上述のＥＣＭおよびＥＭＭをこれらに対応するＩＣカードコマンドＣＣに変換する処理は、この処理を実行するためのＩＣカードアクセスプログラム１７３に基づいてなされる。
このＩＣカードアクセスプログラム１７３は、ＥＣＭに係る処理をＥＭＭに係る処理に優先して実行し、該ＥＣＭに係る処理により得たＩＣカードコマンドＣＣを当該適用されたＩＣカード１８１に供給するように構成されている。
【００４６】
更に、ＩＣカードアクセスプログラム１７３は、ＩＣカードコマンドＣＣの供給に応答してＩＣカード１８１から発せられるＩＣカードレスポンスＣＲに含んで発行された暗号鍵Ｋｓを、ＥＣＭバッファ１７１においてＧＵＩＤおよびＳＵＢＩＤが付加されたレコードとして管理されている当該ＥＣＭの発信元（何れかのチューナ乃至これに関連する回路）からの情報中のＧＵＩＤおよびＳＵＢＩＤに基づいて識別される発信元に供給するように構成されている。
【００４７】
図３は、図２のバッファに保持されるデータの形式を表す図である。既述のとおり、ＥＣＭおよびＥＭＭは、これらに各対応するＥＣＭバッファ１７１およびＥＭＭバッファ１７２において別々に管理する。ＥＣＭは、暗号鍵Ｋｓを正規の転送先（ＥＣＭの発信元）に送信する必要があることから、何れのチューナ（乃至これに関連する回路）から到来したＥＣＭであるのかを判別する必要がある。
【００４８】
そこで、増設チューナの各々についてそれらのインターフェース部には固有のアドレス（ＭＡＣアドレス、ＧＵＩＤ）が付与されていることを利用する。一つのインターフェース部に対して、複数のチューナ部を対応させる（増設チューナが複数のチューナ部を実装している）ように構成することも可能であり、このような場合には、上述のＧＵＩＤにサブＩＤ（ＳＵＢＩＤ）を付加して管理することができる。
【００４９】
ＩＣカードアクセスプログラム１７３に関しては、内部チューナ（デジタル放送受信機１１０内に実装されたチューナ部）からのアクセス要求も、外部チューナ（増設チューナ内に実装されたチューナ部）からのアクセス要求も、一義的にGUID+SUBID+コマンドという形でアクセス要求を行う。そこで、ＥＣＭバッファ１７１は自己が保持するデータを、ＥＣＭにＧＵＩＤとＳＵＢＩＤとが付加されたレコードとして管理する。
【００５０】
ＩＣカードアクセスプログラム１７３は、ＥＣＭバッファ１７１およびＥＭＭバッファ１７２に対する書き込み時および当該ＩＣカードレスポンスＣＲの受信時の双方においてＥＣＭに係る処理をＥＭＭに係る処理に優先して実行するように構成されているため、暗号鍵Ｋｓを得るために即時に必要とされ且つその処理に相対的に長い時間を要するＥＣＭに係る処理が優先的に実行され、全体的に円滑で速やかな動作が実現される。
【００５１】
図４は、図１および図２のシステムコントローラに適用されるＩＣカードアクセスプログラムによる動作（ＥＣＭバッファ１７１およびＥＭＭバッファ１７２に対する書き込みの発生に応答する動作）を説明するフローチャートである。
高速シリアルインターフェース部３００からのＥＣＭ、ＥＭＭが到来することによってバッファ（ＥＣＭバッファ１７１およびＥＭＭバッファ１７２）に対する書き込みの発生を待機し（Ｓ４０１：Ｎｏ）、書き込みが発生すると（Ｓ４０１：Ｙｅｓ）、次いで、ＩＣカードがアクセス中（Busy：システムコントローラ１７０がＩＣカード１８１にＩＣカードコマンドＣＣを投げて、これに対するＩＣカードレスポンスＣＲが返ってくるまでの期間）か否かを判別する（Ｓ４０２）。
【００５２】
ステップＳ４０２で、ＩＣカードがアクセス中（Busy）でないと判別されたときには（Ｓ４０２：Ｎｏ）、次に、先ず、ＥＣＭバッファ１７１に処理対象のデータが置かれているか否かが判別される（Ｓ４０３）。
ステップＳ４０３でＥＣＭバッファ１７１に処理対象のデータが置かれていないと判別されたときには（Ｓ４０３：Ｎｏ）、次に、ＥＭＭバッファ１７２に処理対象のデータが置かれているか否かが判別される（Ｓ４０４）。
【００５３】
ステップＳ４０４で、ＥＭＭバッファ１７１にも処理対象のデータが置かれていないと判別されたときには（Ｓ４０４：Ｎｏ）、アイドル状態、即ち、高速シリアルインターフェース部３００からのＥＣＭ、ＥＭＭが到来するのを待機している状態に遷移し（Ｓ４０５）、この処理を終了する。
ステップＳ４０３で、ＥＣＭバッファ１７１に処理対象のデータが置かれていると判別されたときには（Ｓ４０３：Ｙｅｓ）、その処理対象のデータを一時的に保持する（Ｓ４０６）。
【００５４】
ステップＳ４０６に次いで、一時的に保持されたＥＣＭがどの増設チューナから来たものかを表すデータを記憶する（Ｓ４０７）。
一方、ステップＳ４０４で、ＥＭＭバッファ１７１に処理対象のデータが置かれていると判別されたときには（Ｓ４０４：Ｙｅｓ）、その処理対象のデータを一時的に保持する（Ｓ４０８）。
【００５５】
ステップＳ４０７およびステップＳ４０８の後、何れも、上述のアイドル状態に遷移し（Ｓ４０５）、この処理を終了する。
以上、図４を参照して説明した処理での特徴は、ＥＣＭの処理をＥＭＭの処理より優先することにより、多くの増設チューナのＥＣＭに対応できる点である。
図５は、図１および図２のシステムコントローラに適用されるＩＣカードアクセスプログラムによる動作（ＩＣカードレスポンスＣＲに対する応答動作）を説明するフローチャートである。
【００５６】
ＩＣカードレスポンスＣＲの発生を待機し（Ｓ５０１：Ｎｏ）、ＩＣカードレスポンスＣＲが発生すると（Ｓ５０１：Ｙｅｓ）、次いで、先ず、ＩＣカードからＥＣＭ（これに対応するＩＣカードコマンドＣＣ）に応答して発せられたＩＣカードレスポンスＣＲであるか否かが判別される（Ｓ５０２）。
ステップＳ５０２で、ＥＣＭ（これに対応するＩＣカードコマンドＣＣ）に応答してのＩＣカードレスポンスＣＲでないと判別されたときには（Ｓ５０２：Ｎｏ）、次いで、ＩＣカードからＥＭＭ（これに対応するＩＣカードコマンドＣＣ）に応答して発せられたＩＣカードレスポンスＣＲであるか否かが判別される（Ｓ５０３）。
【００５７】
ステップＳ５０３で、ＩＣカードからＥＭＭ（これに対応するＩＣカードコマンドＣＣ）に応答して発せられたＩＣカードレスポンスＣＲでもないと判別されたときには（Ｓ５０３：Ｎｏ）、次いで、ＩＣカード指示の情報があるか否かが判別される（Ｓ５０４）。ここに、「ＩＣカード指示」の情報とは、ＩＣカードレスポンスＣＲに付帯する情報で、例えば、通電制御、発呼日時取得、パスワード削除、発呼、リトライオーバー通知、呼切断、初期設定条件取得、カードＩＤ情報取得、カード交換、等々の情報であり、スクランブルに関するワーク鍵の受信スケジュールやセンターとの通信（ＰＰＶの購入情報の送信等）に用いられる。
【００５８】
ステップＳ５０４でＩＣカード指示の情報がないと判別されたときには（Ｓ５０４：Ｎｏ）、次いで、ＥＭＭバッファ１７２に処理対象のデータが置かれているか否かが判別される（Ｓ５０５）。
ステップＳ５０５で、ＥＭＭバッファ１７２に処理対象のデータが置かれていないと判別されたときには（Ｓ５０５：Ｎｏ）、次いで、アイドル状態、即ち、高速シリアルインターフェース部３００からのＥＣＭ、ＥＭＭが到来するのを待機している状態に遷移し（Ｓ５０６）、この処理を終了する。
【００５９】
上述の「ＩＣカード指示」は、ＥＣＭが無い時におこなう。ＥＭＭの処理は、ＩＣカード指示もＥＣＭも無い時に行う。
ステップＳ５０２で、ＥＣＭ（これに対応するＩＣカードコマンドＣＣ）に応答してのＩＣカードレスポンスＣＲであると判別されたときには（Ｓ５０２：Ｙｅｓ）、次いで、そのＩＣカードレスポンスＣＲから暗号鍵Ｋｓを抽出し（Ｓ５０７）、更に、対応するＥＣＭの発信元であるチューナ部（増設チューナ）を表すレコード情報を読み出し（Ｓ５０８）、そのチューナ部（増設チューナ）に暗号鍵Ｋｓを送信する（Ｓ５０９）。
【００６０】
ステップＳ５０９での暗号鍵Ｋｓの送信は、高速シリアルインターフェース部を通るときには、既述のように、パケット化した形のデータとして伝送され、受信側の高速シリアルインターフェース部でパケット化が解除されて元の姿のデータ（暗号鍵Ｋｓ）に復元され、目的とするトランスポートストリームのデスクランブル処理に供される。
一方、ステップＳ５０３で、ＩＣカードからＥＭＭ（これに対応するＩＣカードコマンドＣＣ）に応答して発せられたＩＣカードレスポンスＣＲであると判別されたときには（Ｓ５０３：Ｙｅｓ）、次いで、そのレスポンスたるデータを書き込んで一時的に保持し（Ｓ５１０）、次いで、一時的に保持されたデータがどの増設チューナから来たものか（即ち、発信元であるチューナ部乃至関連する回路部）を表すデータを記憶する（Ｓ５１１）。
【００６１】
また、ステップＳ５０４で、ＥＭＭバッファ１７１に処理対象のデータが置かれていると判別されたときには（Ｓ５０５：Ｙｅｓ）、その処理対象のデータを一時的に保持する（Ｓ５１３）。
上述の、ステップＳ５０９、ステップＳ５１１、ステップＳ５１２、および、ステップＳ５１３の後、何れも、上述のアイドル状態に遷移し（Ｓ５０６）、この処理を終了する。
【００６２】
以上説明した実施の形態によれば、ＩＣカードアクセスプログラムに基づいて作動するシステムコントローラ並びにＥＣＭバッファ１７１およびＥＭＭバッファ１７２回路の変更なしに、増設チューナの数を増やすことが出来る。
【図面の簡単な説明】
【００６３】
【図１】本発明の実施の形態としてのデジタル放送受信機およびこれに適合する増設チューナを含んで構成されたデジタル放送受信システムを表すブロック図である。
【図２】図１のデジタル放送受信機に適用されるシステムコントローラについて説明するための概念図である。
【図３】図２のバッファに保持されるデータの形式を表す図である。
【図４】図１および図２のシステムコントローラに適用されるＩＣカードアクセスプログラムによる動作（ＥＣＭバッファおよびＥＭＭバッファに対する書き込みの発生に応答する動作）を説明するフローチャートである。
【図５】図１および図２のシステムコントローラに適用されるＩＣカードアクセスプログラムによる動作（ＩＣカードレスポンスＣＲに対する応答動作）を説明するフローチャートである。
【符号の説明】
【００６４】
１１０…アンテナ  １２０…チューナ部  １３０…デスクランブル処理部  １４０…ＭＰＥＧ復号部  １５０…表示器  １６０…データ分離部  １７０…システムコントローラ  １７１…ＥＣＭバッファ  １７２…ＥＭＭバッファ  １７３…ＩＣカードアクセスプログラム  １８０…ＩＣカード読取り部  １８１…ＩＣカード  １９０…ＭＰＥＧ復号部    ２１０…アンテナ  ２２０…チューナ部  ２３０…デスクランブル処理部  ２４０…データ分離部  ３００…高速シリアルインターフェース部  ３１０…一の高速シリアルインターフェース部  ３２０…他の高速シリアルインターフェース部  １０００…デジタル放送受信システム  １１００…デジタル放送受信機  １２００…増設チューナ
【図１】
2007195103.tif 000003
【図２】
2007195103.tif 000004
【図３】
2007195103.tif 000005
【図４】
2007195103.tif 000006
【図５】
2007195103.tif 000007